(57)【要約】【課題】  導光ロッドを所定の位置に強固に固定できる導光ユニット及び当該導光ユニットを備えたプロジェクタを提供する。【解決手段】  プロジェクタは、光源装置と、導光ユニットと、光源側光学系と、表示素子と、投影側光学系と、冷却ファンと、プロジェクタ制御手段とを有するものであり、この導光ユニット80は、入射面側より射出面側の面積が小さく、入射面を正方形、射出面を横長の長方形に形成された楔形形状の導光ロッド81と、内面形状を導光ロッド81と略相似形状とする筒状体の保持部材82と、導光ロッド81を保持部材82に固定する係止板83とを備えたものである。【選択図】      図４
2008145838.tif 000002
【特許請求の範囲】
【請求項１】
入射面側端面と射出面側端面の面積が異なる楔形形状の導光ロッドと、
内面に前記導光ロッドを係止する複数の係止突起を備える筒状体の保持部材と、
前記導光ロッドを保持部材に固定する係止板と、を備えたことを特徴とする導光ユニット。
【請求項２】
前記保持部材は、内面形状を前記導光ロッドと略相似形状とすることを特徴とする請求項１に記載の導光ユニット。
【請求項３】
前記係止板は、前記導光ロッドの入射面よりも大きな方形状の開口を有し、当該開口の少なくとも２つの角近傍には前記導光ロッドの入射面の角を係止する係止部を備えることを特徴とする請求項１又は請求項２に記載の導光ユニット。
【請求項４】
前記導光ロッドは、入射面を正方形、射出面を横長の長方形として入射面よりも小さな面積に形成されていることを特徴とする請求項１乃至請求項３のいずれかに記載の導光ユニット。
【請求項５】
前記導光ロッドは、入射面及び射出面の両方を横長の長方形として射出面が入射面よりも小さく形成されていることを特徴とする請求項１乃至請求項３のいずれかに記載の導光ユニット。
【請求項６】
光源装置と、
導光ユニットと、
光源側光学系と、
表示素子と、
投影側光学系と、
冷却ファンと、
プロジェクタ制御手段とを有し、
前記導光ユニットは、
入射面側端面と射出面側端面の面積が異なる楔形形状の導光ロッドと、
内面に前記導光ロッドを係止する複数の係止突起を備える筒状体の保持部材と、
前記導光ロッドを保持部材に固定する係止板と、を備えたことを特徴とするプロジェクタ。
【発明の詳細な説明】
【技術分野】
【０００１】
本発明は、導光ロッドを強固に固定可能な導光ユニットと、当該導光ユニットを備えたビデオ信号等に基づいて画像を投影するプロジェクタに関するものである。
【背景技術】
【０００２】
今日、パーソナルコンピュータの画面やビデオ画像、更にメモリカード等に記憶されている画像データによる画像等をスクリーンに投影する画像投影装置としてのデータプロジェクタが多用されている。
【０００３】
このデータプロジェクタは、メタルハイランドランプや超高圧水銀ランプ等の高輝度の光源装置を内蔵し、この光源から射出された光をＤＭＤと呼ばれるマイクロミラー表示素子、又は、液晶板に集光させ、スクリーン上にカラー画像を表示させるものである。
【０００４】
このようなプロジェクタに関して、光源装置からの射出光の強度を均一化するためにライトトンネルや導光ロッド等の導光装置を用いたものが多数提案されている。例えば、特開２００６−２０８８９４号公報（特許文献１）では、アレイ状に複数の発光ダイオードを配置した３つの光源をクロスダイクロイックミラーの三方に配置し、このクロスダイクロイックミラーから射出される光線束の光軸上に縦長で四角錐台形状の導光ロッドを配置することで、複数の輝点から射出された光を合成させる発明が提案されている。
【０００５】
この導光ロッドは側面が反射面となっているため、導光ロッドを固定する場合に側面と固定具が触れる面積は小さくする必要がある。そこで、現在一般的な導光ロッドの固定方法は、板バネや保持部材で側面を押さえつけて固定するものである。
【特許文献１】特開２００６−２０８８９４号公報
【発明の開示】
【発明が解決しようとする課題】
【０００６】
上述したような導光ロッドの固定方法は、導光ロッドの側面と板バネや保持部材との間の摩擦力でのみ固定しているため、光軸方向に力が働いたときにズレが生じるといった問題点があった。この導光ロッドのズレはその後の光学系へ入射する光線束の焦点ズレの原因となり、ＤＭＤ等の表示素子に効果的に集光することができず、種々の不具合を生じさせる原因となっている。
【０００７】
本発明は、このような従来技術の問題点に鑑みてなされたものであり、導光ロッドを所定の位置に強固に固定できる導光ユニット及び当該導光ユニットを備えたプロジェクタを提供することを目的としている。
【課題を解決するための手段】
【０００８】
本発明の導光ユニットは、入射面側端面と射出面側端面の面積が異なる楔形形状の導光ロッドと、内面に前記導光ロッドを係止する複数の係止突起を備える筒状体の保持部材と、前記導光ロッドを保持部材に固定する係止板と、を備えたことを特徴とするものである。
【０００９】
又、前記保持部材は、内面形状を前記導光ロッドと略相似形状とすることを特徴とするものである。
【００１０】
更に、前記係止板は、前記導光ロッドの入射面よりも大きな方形状の開口を有し、当該開口の少なくとも２つの角近傍には前記導光ロッドの入射面の角を係止する係止部を備えることを特徴とするものである。
【００１１】
又、前記導光ロッドは、入射面を正方形、射出面を横長の長方形として入射面よりも小さな面積に形成されていることを特徴とするものである。
【００１２】
尚、前記導光ロッドは、入射面及び射出面の両方を横長の長方形として射出面が入射面よりも小さく形成されていることもある。
【００１３】
そして、本発明のプロジェクタは、光源装置と、導光ユニットと、光源側光学系と、表示素子と、投影側光学系と、冷却ファンと、プロジェクタ制御手段とを有し、前記導光ユニットは、入射面側端面と射出面側端面の面積が異なる楔形形状の導光ロッドと、内面に前記導光ロッドを係止する複数の係止突起を備える筒状体の保持部材と、前記導光ロッドを保持部材に固定する係止板と、を備えたことを特徴とするものである。
【発明の効果】
【００１４】
本発明によれば、導光ロッドを所定の位置に強固に固定できる導光ユニット及び当該導光ユニットを備えたプロジェクタを提供することができる。
【発明を実施するための最良の形態】
【００１５】
本発明を実施するための最良の形態のプロジェクタ1は、光源装置61と、導光ユニット80と、光源側光学系70と、表示素子51と、投影側光学系90と、冷却ファン111と、プロジェクタ制御手段101とを有するものである。
【００１６】
又、この導光ユニット80は、入射面側より射出面側の面積が小さく、入射面を正方形、射出面を横長の長方形に形成された楔形形状の導光ロッド81と、内面に導光ロッド81を係止する複数の係止突起84を備える筒状体の保持部材82と、導光ロッド81を保持部材82に固定する係止板83とを備えたものである。
【００１７】
又、保持部材82は、内面形状を導光ロッド81と略相似形状とし、係止板83は、導光ロッド81の入射面よりも大きな方形状の開口を有し、当該開口の少なくとも２つの角近傍には導光ロッド81の入射面と重なって導光ロッド81の隅角を係止する係止部85を備えるものである。
【実施例】
【００１８】
以下、本発明の実施例を図に基づいて詳説する。本発明に係るプロジェクタ1は、プロジェクタ制御手段としての制御回路を内蔵し、図１に示すように、略直方体とされるケースの前面板3にはレンズカバー92を備えた投影口93を有するものである。
【００１９】
又、ケースの上面板2には電源スイッチ10としてのキーや手動画質調整キー12、自動画質調整キー13、電源ランプインジケータ11、光源ランプインジケータ14、過熱インジケータ15などのキー及びインジケータ類、スピーカを内側に配置した拡声穴16や開閉蓋17を有し、図示しない背面板には電源コネクタやパーソナルコンピュータと接続するＵＳＢ端子、画像信号入力用のビデオ端子やミニＤ−サブ端子などの各種信号入力端子を有するものである。
【００２０】
そして、上面の開閉蓋17の内部には、画質や画像の微調整及びプロジェクタ1の各種動作設定を行うサブキーを有し、ケースの左側面板には吸気孔が、右側板5には排気孔8が設けられ、内部に冷却ファンを有するものである。
【００２１】
又、底面板の前方には突出量を調整可能とした前足部材18を有し、底面板の後方左右には固定式の後足部材19を有し、前足部材18の突出量を調整してプロジェクタ1の前方高さを変化させ、スクリーンの高さにあわせた画像の投影を可能としているものである。
【００２２】
そして、このプロジェクタ1のプロジェクタ制御手段である制御回路は、図２に示すように、制御部38、入出力インターフェース22、画像変換部23、表示エンコーダ24、表示駆動部26等を有するものであって、入出力コネクタ部21から入力された各種規格の画像信号は、入出力インターフェース22、システムバス（ＳＢ）を介して画像変換部23で表示に適した所定のフォーマットの画像信号に統一するように変換された後、表示エンコーダ24に送られるものである。
【００２３】
又、表示エンコーダ24は、送られてきた画像信号をビデオＲＡＭ25に展開記憶させた上でこのビデオＲＡＭ25の記憶内容からビデオ信号を生成して表示駆動部26に出力するものである。
【００２４】
そして、表示エンコーダ24からビデオ信号が入力される表示駆動部26は、送られてくる画像信号に対応して適宜フレームレートで空間的光変調素子（ＳＯＭ）である表示素子51を駆動するものであり、光源装置61からの光を各種光学系を介して表示素子51に入射することにより、表示素子51の反射光で光像を形成し、投影側光学系とする投影系レンズ群を介して図示しないスクリーンに画像を投影表示するものであり、この投影系レンズ群の可動レンズ群97は、レンズモータ45によりズーム調整やフォーカス調整のための駆動が行われるものである。
【００２５】
又、画像圧縮伸長部31は、画像信号の輝度信号及び色差信号をＡＤＴＣ及びハフマン符号化等の処理によりデータ圧縮して着脱自在な記録媒体とされるメモリカード32に順次書き込む記録処理や、再生モード時はメモリカード32に記録された画像データを読み出し、一連の動画を構成する個々の画像データを１フレーム単位で伸長して画像変換部23を介して表示エンコーダ24に送り、メモリカード32に記憶された画像データに基づいて動画等の表示を可能とするものである。
【００２６】
そして、制御部38は、プロジェクタ1内の各回路の動作制御を司るものであって、ＣＰＵや各種セッティング等の動作プログラムを固定的に記憶したＲＯＭ及びワークメモリとして使用されるＲＡＭ等により構成されている。
【００２７】
又、本体ケースの上面板2に設けられるメインキー及びインジケータ等により構成されるキー／インジケータ部37の操作信号は、直接に制御部38に送出され、リモートコントローラからのキー操作信号は、Ｉｒ受信部35で受信され、Ｉｒ処理部36で復調されたコード信号が制御部38に送られるものである。
【００２８】
尚、制御部38にはシステムバス（ＳＢ）を介して音声処理部47が接続されており、音声処理部47はＰＣＭ音源等の音源回路を備え、投影モード及び再生モード時には音声データをアナログ化し、スピーカ48を駆動して拡声放音させることができるものである。
【００２９】
又、この制御部38は、電源制御回路41を制御しており、この電源制御回路41は、ランプスイッチキーが操作されると光源装置61の放電ランプを点灯させる。更に、制御部38は、冷却ファン駆動制御回路43も制御しており、この冷却ファン駆動制御回路43は、光源装置61等に設けた複数の温度センサによる温度検出を行わせて、冷却ファンの回転速度を制御させ、又、タイマー等により光源装置61のランプ消灯後も冷却ファンの回転を持続させるものであり、更に、温度センサによる温度検出の結果によっては光源装置61を停止してプロジェクタ本体の電源をＯＦＦにする等の制御も行うものである。
【００３０】
そして、このプロジェクタ1の内部には、図３に示すように、プロジェクタ制御手段101やランプ電源回路102を備えた回路基板103が前面板3近傍に配置されている。又、右側板5の排気孔8近傍や背面板4近傍には冷却ファン111が配置されている。更に、左側板6には複数の吸気孔9が形成されており、プロジェクタ1の内部に外気を取込めるようになっている。
【００３１】
又、高圧ハロゲンランプ等の放電ランプ62を内蔵する光源装置61、及び、カラーホイール86や導光ロッド81及び複数枚の光源側レンズ群等で構成される光源側光学系70、更に、反射ミラー88等を有するものである。
【００３２】
そして、反射ミラー88からの反射光が照射される位置には複数の画素を行方向及び列方向にマトリクス状に配列して入射した光の反射を制御することにより画像を表示する表示素子51が配置されている。そして、表示素子51からの射出光をスクリーン等の投影面に投影する固定レンズ群98や可動レンズ群97等を備える投影側光学系90が左側板6の近傍に配置されている。
【００３３】
この表示素子51は、カラーフィルタのような入射光を着色する手段を備えない表示素子51であり、この実施例では、一般にＤＭＤ（Digital Micromirror Device）と略称されるマイクロミラー表示素子を用いている。このマイクロミラー表示素子の横と縦の比は、通常４対３とされている。
【００３４】
このマイクロミラー表示素子は、その正面方向に対して一方向に傾いた入射方向から入射した光を、前記複数のマイクロミラーの傾き方向の切換えにより正面方向のオン状態光線と斜め方向のオフ状態光線とに分けて反射することにより画像を表示するものであり、一方の傾き方向に傾動されたマイクロミラーに入射した光をこのマイクロミラーにより正面方向に反射するオン状態光線とし、他方の傾き方向に傾動されたマイクロミラーに入射した光をこのマイクロミラーにより斜め方向に反射してオフ状態光線とすると共に、このオフ状態光線を吸光板で吸収し、正面方向への反射による明表示と、斜め方向への反射による暗表示とにより画像を表示するものである。
【００３５】
そして、光源装置61は、高圧ハロゲンランプ等の放電ランプ62と、内面を反射面とした回転楕円面形状のリフレクタ63と、このリフレクタ63の前方の開口を塞ぐ防爆フィルタとを備えるものであり、リード線74によりランプ電源回路102と接続されて放電ランプ62に電力が供給されるものである。
【００３６】
又、カラーホイール86は、薄肉円盤状であり、光源装置61から射出された白色光を順次着色するためのカラーフィルタを平面上に有している。そして、導光ロッド81の入射側の位置でカラーフィルタが光軸X上にくるように配置されている。又、中心はホイールモータ87に接続して回転を制御されているものである。
【００３７】
又、導光ロッド81は、図４（ａ）に示すように、入射面側より射出面側の面積が小さく形成された楔形形状であり、この導光ロッド81と、内面形状を導光ロッド81と略相似形状とする筒状体で内面に係止突起84を備える保持部材82と、導光ロッド81を保持部材82に固定する係止板83とを備えて導光ユニット80としているものである。
【００３８】
この導光ロッド81は、平行とされる入射面と射出面を備え、入射面側より射出面側の面積が小さく形成された楔形形状の光学ガラスであり、入射面を正方形、射出面を横長の長方形、反射面を形成する４つの側面の内で対向する上下の２面を導光ロッド81の上下を二分する中心面に対して面対称なテーパー面とし、左右の側面を相互に平行として入射面や射出面と垂直に形成しているものである。そして、光源装置61から射出された光線束を入射面から取り入れて強度を均一化し、射出面よりその後の光学系に光線束を射出するものである。
【００３９】
そして、保持部材82は、外面を直方体形状、内面形状を導光ロッド81と略相似形状とする筒状体であり、光軸X方向の長さは導光ロッド81の長さと略同一の長さに形成されたものである。又、内面の所定の位置には導光ロッド81を支持するようにして係止する複数の係止突起84が形成されている。この保持部材82は、内部空間に導光ロッド81を保持するものであり、導光ロッド81を保持部材82の内部空間に挿入したときに係止突起84が導光ロッド81の側面と接触して導光ロッド81を固定するものである。
【００４０】
この係止突起84は、保持部材82の内面の所定の位置から突出して形成されたものであり、係止突起84の先端部は面形状で保持部材82の内部に挿入された導光ロッド81の側面と平行に形成されている。よって、導光ロッド81のテーパー面を係止する係止突起84は、先端部を光軸Xに対してテーパー角の分斜めに形成されており、導光ロッド81の平行に形成された側面と係止する係止突起84の先端部は、光軸Xと平行に形成されているものである。このように、導光ロッド81と面接触するように係止突起84を形成することで導光ロッド81との係止が強固なものとなり、且つ、導光ロッド81の外表面との接触面積を小さくすることができる。
【００４１】
又、係止板83は、湾曲可能な薄板であり、導光ロッド81の入射面よりも大きな方形状の開口を有している。この開口は図面に示したように、入射面の隅角近傍を係止する係止部85を備えたもので、八角形とする場合や四角形とする場合があり、開口の中心に導光ロッド81の入射面の中心を位置させて導光ロッド81の入射面の隅角に係止板83の係止部85を重ねることで導光ロッド81を固定するものである。
【００４２】
そして、この導光ユニット80は、導光ロッド81を保持部材82の内部空間に導光ロッド81の射出面側から導光ロッド81の側面が係止突起84と接触する位置まで挿入し、導光ロッド81の入射面側を係止板83で押圧し、係止板83の周縁部を保持部材82の外周縁に折り曲げて貼付け固定したものである。この時、図４（ｂ）に示すように、導光ロッド81の入射面の隅角近傍を係止板83の係止部85が係止した状態となるものである。
【００４３】
このように導光ロッド81を固定した場合、導光ロッド81が射出面側から入射面側に末広がりの形状となっているため、射出面側に導光ロッド81がズレることはなく、入射面側は係止板83により固定されているため入射面側にズレることもない。
【００４４】
又、導光ロッド81の入射面の隅角近傍を係止板83の係止部85で固定した場合、導光ロッド81の入射面の角近傍に照射される光は遮断されるが、導光ロッド81の入射面に照射される光は、光源装置61のリフレクタ63から射出される光線束であり、この光線束は、回転楕円面形状のリフレクタ63により収束された光であるため略円形に収束しており、導光ロッド81の入射面の角近傍に照射される光は本来その光量が微少量であるため隅角を係止板83で覆っても導光ロッド81に入射する光量を減少させることにはならない。
【００４５】
尚、導光ロッド81を入射面より射出面の方が面積の小さい楔形形状としているため、導光ロッド81より射出される光線束が光軸Xとなす角度は、導光ロッド81に入射した時の光線束が光軸Xとなす角度よりも大きくなり、導光ロッド81のテーパー面と光軸Xとがなす角度を大きくすると導光ロッド81より射出される光線束の中でその後の光学系に入射することができない拡散光が増加してしまう。よって、テーパー面と光軸Xがなす角度は小さく形成する必要がある。
【００４６】
そして、光源側光学系70における光源側レンズ群は、カラーホイール86及び導光ロッド81を透過した光線束を集光し、不要光となる拡散光等を排除して反射ミラー88に光線束を照射するものである。
【００４７】
又、反射ミラー88は、光源装置61から射出され、導光ロッド81とカラーホイール86と光源側レンズ群とを透過した光を、表示素子51に向けて反射することにより表示素子51にその正面方向に対して一方の方向に傾いた方向から光を投射するものである。
【００４８】
又、投影側光学系90は、固定レンズ群98を内蔵する固定鏡筒と、この固定鏡筒に係合され、回転操作により軸方向に進退移動可能とされる可動レンズ群97を内蔵する可動鏡筒とを備え、これらの鏡筒内に組み込まれた複数枚のレンズの組み合わせによりズームレンズを形成する投影側光学系90としているものである。
【００４９】
このように、このプロジェクタ1は、光源装置61から光を一方向に射出させ、カラーホイール86を高速で回転駆動させることにより、光源装置61から導光ロッド81の入射面へ入射し導光ロッド81の射出面から射出した光を、導光ロッド81により強度分布を均一にし、更にカラーホイール86により順次着色して、光源側光学系70及び反射ミラー88により表示素子51に向けて投射することができるものである。
【００５０】
そして、電源投入時から所定時間が経過して光源装置61からの光が安定すると、カラーホイール86を透過することで着色された各色の光の投射周期に同期させて表示素子51に各色の単色画像データを順次書込むことにより、表示素子51の正面方向に反射するオン状態光線により表示素子51に各色の単色画像を順次形成させ、表示素子51から順次射出する各色の単色画像光を、投影側光学系90のレンズ群97,98により拡大して投影面に投影するものであり、投影面に各色の３色の単色画像が重なったフルカラー画像を表示するものである。
【００５１】
本実施例の導光ユニット80によれば、導光ロッド81に対して導光ロッド81の光軸X方向の力が加わった場合、射出面方向は導光ロッド81のテーパー面が保持部材82の係止突起84と係止しているためズレることはなく、入射面方向は係止板83により入射面を係止されているためズレることがない。よって、光軸X方向の力が加わっても導光ロッド81がズレることが無くなり、導光ロッド81のズレにより生じるその後の光学系へ入射する光線束の焦点ズレや、投影画像が不鮮明となること、ＤＭＤ等の表示素子に効果的に集光することができず、種々の不具合を生じさせることが防止できるものである。
【００５２】
又、係止突起84により導光ロッド81を係止しているため、導光ロッド81の側面と保持部材82が接触する面積が小さく、導光ロッド81の屈折率に殆ど影響を与えない。よって、導光ロッド81内での光量の減衰が防止できる。又、係止突起84の導光ロッド81の側面と接触する面にミラーコートなど反射面を形成すれば、さらに導光ロッド81内での光量の減衰が防止できる。
【００５３】
そして、導光ロッド81の上下の側面を導光ロッド81の上下の中心面に対して対称なテーパー面とすることにより、導光ロッド81に入射した光線束と射出される光線束の光軸が同一直線となるため、光軸を合わせることが容易となる。
【００５４】
尚、係止突起84の先端部の形状を半球形状とし、導光ロッド81の側面と点接触するように形成することも可能である。このように形成することにより、導光ロッド81と接触する面積を小さくできるため、導光ロッド81の屈折率に影響を与えず、導光ロッド81内での光量の減衰が防止できる。
【００５５】
又、保持部材82の内面形状を導光ロッド81の形状と略相似に形成することにより、係止突起84の突出量を一定にすることができ、係止突起84を形成することが容易となる。
【００５６】
更に、係止板83が導光ロッド81の入射面の角近傍を係止することで導光ロッド81を固定しているため、導光ロッド81の入射面に照射され有効光となる円形状の光線束を遮断することはない。よって、光量を減らすことはなく、輝度の高い投影画像を提供できる。
【００５７】
又、導光ロッド81の入射面を正方形とすることにより、導光ロッド81に照射される円形状の光線束を無駄なく取込むことができ、光源装置61から射出される光の利用効率を低くすることなく導光ロッド81ひいては導光ユニット80を小型化できる。
【００５８】
更に、導光ロッド81の射出面を横長の長方形とすることにより、横長の長方形である投影画像の形状に近い形状の光線束をその後の光学系に射出することができ、導光ロッド81後の光学系で無駄となる光が減少する。
【００５９】
又、このような導光ユニット80を用いたプロジェクタ1は、導光ロッド81が強固に固定されているため、衝撃を加えても光軸がズレることは無く、安定した投影を継続可能となる。
【００６０】
尚、本実施例において係止板83は開口を備えた薄板としたが、開口の無い屈折率の小さな透光性の薄板を用いることもできる。このように屈折率の小さな薄板を用いることにより開口を形成する必要がないため、係止板83の製造が容易となる。
【００６１】
又、係止板83の開口の４つの角に係止部85を形成しているが、２つの角にのみ係止部85を形成することや、開口の形状を入射面の形状より僅かに小さくして導光ロッド81の入射面の縁部を係止する形状とすることもできる。
【００６２】
そして、このような導光ユニット80を用いたプロジェクタ1は、導光ロッド81の光軸方向のズレを防止できるため、衝撃が加わっても光軸にズレが生じることが無く、衝撃に強く、安定した投影が可能となる。
【００６３】
次に本発明の変形例について述べる。本変形例の導光ロッド81は、図５に示すように、平行な入射面及び射出面を備え、入射面の面積よりも射出面の面積が小さい楔形形状の導光ロッドであり、側面の内で下方に位置する面をテーパー面とし、上方に位置する面及び左右の側面は入射面及び射出面と垂直な面として形成されたものである。
【００６４】
このようにテーパー面を一面のみとすることにより、導光ロッド81を強固に固定できる共に、導光ロッド81の加工が容易となる。
尚、テーパー面を三面又は四面とすることも可能であり、テーパー面を増やすことにより導光ロッド81の固定を強固なものとできる。
【００６５】
又、他の変形例について述べる。上述した実施例では、導光ロッド81の入射面を正方形、射出面を横長の長方形としたが、図６に示すように、入射面及び射出面を共に横長の長方形とした楔形形状とすることもできる。
【００６６】
このように入射面も横長の長方形とすることにより、導光ロッド81のテーパー面が光軸Xとなす角度を小さくでき、導光ロッド81から射出される光線束と光軸Xとがなす角度も小さく押さえることができるため、導光ロッド81を透過した後に生じる不要光を減らすことができ、光源装置61から射出された光線束の利用効率が高くなる。
【００６７】
又、テーパー角は１°以下又は０．５°以下として射出面から射出される光の拡散角が大きくならないようにすることもある。
【００６８】
尚、上述した実施例においては、入射面側の面積を大きく射出面側の面積を小さく形成していたが、側面のテーパーの向きを逆にして、射出面の面積を大きく入射面側の面積を小さく形成することもできる。このように射出面の面積を大きく入射面側の面積を小さく形成することで、導光ロッド81を強固に固定できると同時に導光ロッド81より射出される光線束の拡散角を小さくすることができる。
【００６９】
又、保持部材82の内面形状を導光ロッド81の形状と略相似に形成していたが、保持部材82の内面形状を直方体形状とし、係止突起84の突出量を導光ロッド81の側面と係止するように調整することで導光ロッド81を固定することもできる。
【００７０】
このように保持部材82の内面形状を直方体形状とし、係止突起84の突出量を変化させることにより、保持部材82の内面にテーパー面等を形成する必要が無くなるため、製造が容易となる。
【００７１】
尚、本発明は、以上の実施例の形態に限定されるものでなく、発明の要旨を逸脱しない範囲で自由に変更、改良が可能である。
【図面の簡単な説明】
【００７２】
【図１】本発明の実施例に係るプロジェクタの斜視図。
【図２】本発明の実施例に係るプロジェクタの制御ブロック図。
【図３】本発明の実施例に係るプロジェクタの内部を模式的に示す概略図。
【図４】本発明の実施例に係る導光ユニットの断面図及び入射面側からの正面図。
【図５】本発明の変形例に係る導光ユニットの断面図及び入射面側からの正面図。
【図６】本発明の他の変形例に係る導光ユニットの断面図及び入射面側からの正面図。
【符号の説明】
【００７３】
1  プロジェクタ                       2  上面板
3  前面板                             4  背面板
5  右側板                             6  左側板
8  排気孔                             9  吸気孔
10  電源スイッチ                      11  電源ランプインジケータ
12  手動画質調整キー                  13  自動画質調整キー
14  光源ランプインジケータ            15  過熱インジケータ
16  拡声穴                            17  開閉蓋
18  前足部材                          19  後足部材
21  入出力コネクタ部                  22  入出力インターフェース
23  画像変換部                        24  表示エンコーダ
25  ビデオＲＡＭ                      26  表示駆動部
31  画像圧縮伸長部                    32  メモリカード
35  Ｉｒ受信部                        36  Ｉｒ処理部
37  キー／インジケータ部              38  制御部
41  電源制御回路                      43  冷却ファン駆動制御回路
45  レンズモータ
47  音声処理部                        48  スピーカ
51  表示素子                          61  光源装置
62  放電ランプ                        63  リフレクタ
70  光源側光学系                      74  リード線
80  導光ユニット
81  導光ロッド                        82  保持部材
83  係止板                            84  係止突起
85  係止部                            86  カラーホイール
87  ホイールモータ                    88  反射ミラー
90  投影側光学系                      92  レンズカバー
93  投影口                            97  可動レンズ群
98  固定レンズ群                      101  プロジェクタ制御手段
102  ランプ電源回路                   103  回路基板
111  冷却ファン
【図１】
2008145838.tif 000003
【図２】
2008145838.tif 000004
【図３】
2008145838.tif 000005
【図４】
2008145838.tif 000006
【図５】
2008145838.tif 000007
【図６】
2008145838.tif 000008